(57)【特許請求の範囲】
【請求項１】
スリット外刃とこのスリット外刃の内面に摺接して往復移動するスリット内刃とを備えたスリット刃と、スリット刃の両外側に配置され、ネット状の外刃とこの外刃の内面に摺接して往復移動する内刃とを備えたネット刃とを備え、スリット刃及びネット刃をそれぞれ上下にフロート可能とした往復式電気かみそりにおいて、スリット外刃の上面を両側のネット刃の頂上を結んだラインと略平行な平面部とし、平面部の内側でスリット内刃を摺動させると共に、スリット外刃の刃先をスリット外刃の側壁よりも外側方に突出させ、刃先の上面に平面部と連なり刃先の突出頂部に近づく程平面部よりも低くなる方向に下り傾斜したテーパー面を形成し、上記ネット刃が上下にフロートする際にネット刃のフロートに連動してスリット刃をフロートさせる連動機構を備えると共に、上記ネット刃がスリット刃上面のテーパー延長線近傍に位置するまではネット刃は独立して上下にフロート可能となっていることを特徴とする往復式電気かみそり。
【請求項２】
スリット外刃の刃幅寸法を刃先に向かう程減少させたことを特徴とする請求項１記載の往復式電気かみそり。
【請求項３】
スリット外刃の上面中央に平面部よりも下方に凹んだ凹部を設けたことを特徴とする請求項１記載の往復式電気かみそり。
【請求項４】
スリット刃とネット刃の連結を、スリット外刃の側壁よりも内側の位置で行うことを特徴とする請求項１記載の往復式電気かみそり。
【請求項５】
ネット刃の外刃枠の突起と、スリット刃の支持体の突起受け面とを、スリット内刃の摺動方向の両端の２箇所に設けたことを特徴とする請求項１記載の往復式電気かみそり。
【請求項６】
一方のネット刃のみにスリット刃が連動するように構成すると共に、他方のネット刃側に対向するスリット外刃の刃先の弧面形状を一方のネット刃側に対向するスリット外刃の刃先の弧面形状よりも大きく形成したことを特徴とする請求項１記載の往復式電気かみそり。
【請求項７】
スリット刃のフロートバネのバネ受け片を少なくとも片方のネット刃の外刃枠に設けたことを特徴とする請求項１記載の往復式電気かみそり。
【請求項８】
スリット刃のフロートバネのバネ受け片を両側のネット刃の外刃枠に
それぞれ設けたことを特徴とする請求項１記載の往復式電気かみそり。
【発明の詳細な説明】
【０００１】
【発明の属する技術分野】
この発明は、往復式電気かみそりに関するものである。
【０００２】
【従来の技術】
近年、多ヘッド化による剃りスピードの向上と、仕上げ後の髭の短さとの両立を目的として、粗剃り刃とネット刃とを組み合わせたものが提案されており、その代表例としては、中央にスリット状の刃、その両外側にネット状の刃を配置したものが挙げられる。
【０００３】
その場合には、スリット刃が長い髭やくせ髭を導入して短くカットし、ネット刃でその短くなった髭をさらに短く仕上げるというものである。
【０００４】
しかしながら、スリット刃は元々、髭の導入は優れているが、あご下等の寝た髭では髭がスリット刃の桟に当たり、その上を通過してしまい、導入できないという問題がある。また寝た髭をより導入するためには、スリット外刃の刃先のＲを小さくする必要があるが、刃先を鋭利にすると肌に対する刺激が大きくなってしまい、肌当たりの悪いものとなってしまう。
【０００５】
また、従来より、例えば実公昭４０−１６１１３号公報では、スリット刃を隣合う位置に同じ高さに並べたものにおいて、各スリット刃の上面をハ字状に傾斜させて、それぞれの刃先を下げた構造を持たせた例が提案されている。また、実公昭４５−５９５号公報では、刃先を突出させる構造のスリット刃において、上面の刃先付近から、刃先が下がる方向に傾斜面を持たせた例が提案されている。さらに、ＵＳ２，３２５，６０６では、スリット刃の上面全体を緩やかな凸曲面で形成し、内刃の摺動を外刃の上面と刃先部とで行うように構成した例が提案されている。
【０００６】
【発明が解決しようとする課題】
しかしながら、前記実公昭４０−１６１１３号公報のように、同じ高さで隣合うスリット刃の上面をハ字状に傾斜させて、それぞれ刃先を下げたものにあっては、このスリット刃を２つのネット刃間に配置した場合に、スリット刃の上面が水平でないため、肌との接触状態が安定せず、しかもスリット刃の上面中央に凹設された溝部の両側面の凸部が肌に強く接するために肌当たりが悪く、しかも内刃が摺動している刃先部はほとんど肌と接触せず、一方、肌を接触する中央の溝部付近の上面では内刃が摺動しないので、髭の導入、カットの効果が少なく、スリット刃としての機能が充分に発揮されるとはいえない。
【０００７】
また、前記実公昭４５−５９５号公報のように、スリット刃の上面に刃先が下がる方向に傾斜面を持たせたものにあっては、スリット刃を２つのネット刃間に配置した場合に、スリット刃の上面が水平でないためにスリット刃と肌との接触状態が悪く、刃先部が肌に強く接触するため肌当たりが悪い。また、内刃の摺動が傾斜面のみであるため、髭を短く剃り上げることができないという問題がある。
【０００８】
また、前記ＵＳ２，３２５，６０６のように、スリット刃の上面と刃先部との内側に内刃を摺動させたものにあっては、スリット刃上面の刃先付近の板厚が薄く、内刃が刃先部でも摺動するため、肌を内刃で削って刺激が発生するという問題がある。
【０００９】
本発明は、上記従来例に鑑みてなされたもので、その目的とするところは、髭の導入性能に優れ、しかも肌への刺激が少ない往復式電気かみそりを提供するにある。
【００１０】
【課題を解決するための手段】
上記課題を解決するために、本発明は、スリット外刃２とこのスリット外刃２の内面に摺接して往復移動するスリット内刃３とを備えたスリット刃１と、スリット刃１の両外側に配置され、ネット状の外刃１２とこの外刃１２の内面に摺接して往復移動する内刃１３とを備えたネット刃１１とを備え、スリット刃１及びネット刃１１をそれぞれ上下にフロート可能とした往復式電気かみそりにおいて、スリット外刃２の上面を両側のネット刃１１の頂上を結んだラインと略平行な平面部１５とし、平面部１５の内側でスリット内刃３を摺動させると共に、スリット外刃２の刃先５をスリット外刃２の側壁４よりも外側方Ｃに突出させ、刃先５の上面に平面部１５と連なり刃先５の突出頂部５ａに近づく程平面部１５よりも低くなる方向に下り傾斜したテーパー面１６を形成し、上記ネット刃１１が上下にフロートする際にネット刃１１のフロートに連動してスリット刃１をフロートさせる連動機構を備えると共に、上記ネット刃１１がスリット刃１上面のテーパー延長線近傍に位置するまではネット刃１１は独立して上下にフロート可能となっていることを特徴としており、このように構成することで、スリット外刃２の上面の平面部１５と肌との接触状態が安定し、刃先５での導入機能が効果的に働き、しかも、テーパー面１６によって両側の２つのネット刃１１間の肌とスリット外刃２の平面部１５とが安定した状態で接触するようになり、また、テーパー面１６によって刃先５と肌との接触を回避でき且つ刃先５での髭の導入が確実になされるように肌が的確に密着することによって、肌当たりを悪くすることなく、髭の導入性能をより向上させることができる。さらに、スリット内刃３は平面部１５の内側のみに摺動しているので、テーパー面１６が肌に接触しても、肌が刺激を受けることもない。また、上記ネット刃１１が上下にフロートする際に、ネット刃１１のフロートに連動してスリット刃１をフロートさせる連動機構を備えているので、ネット刃１１とスリット刃１との連動によって、ネット刃１１頂上とスリット刃１上面の相対距離が大きくなるのを防止でき、スリット刃１の刃先５が露出して肌を刺激したり、ネット刃１１とスリット刃１の刃先５の間に肌を挟んでしまうといった危険をなくすことができる。また、上記ネット刃１１がスリット刃１上面のテーパー延長線近傍に位置するまでは、ネット刃１１は独立して上下にフロート可能となっているので、ネット刃１１の独立フロート量を大きく確保でき、スリット刃１の刃先５が、肌当たりに影響なく効果的に働くようになる。
【００１１】
また、上記スリット外刃２の刃幅寸法Ｌを刃先５に向かう程減少させるのが好ましく、この場合、幅が細くなった刃先５が肌にくい込むのを上面のテーパー面１６によって回避でき、肌当たりを悪くすることなく、刃先５の高開口化を実現できる。
【００１２】
また、上記スリット外刃２の上面中央に平面部１５よりも下方に凹んだ凹部８１を設けるのが好ましく、この場合、凹部８１内で寝た髭を起こすことが可能となり、髭の導入のチャンスを２倍にすることができる。
【００１３】
また、上記スリット刃１とネット刃１１の連結を、スリット外刃２の側壁４よりも内側Ｆの位置で行うのが好ましく、この場合、例えばスリット刃１の係止部３８の位置に対してネット刃１１とスリット刃１との連結位置をスリット刃１の厚み方向でほぼ同じにすることが可能となり、連動の際によりスムーズにスリット刃１をフロートさせることができる。
【００１４】
また、上記ネット刃１１の外刃枠２１の突起６２と、スリット刃１の支持体３２の突起受け面４０とを、スリット内刃３の摺動方向の両端の２箇所に設けるのが好ましく、この場合、摺動方向のどの位置においてもネット刃１１とスリット刃１との相対段差が一定になり、スリット刃１の刃先５が露出するのを防止できる。
【００１５】
また、上記一方のネット刃１１のみにスリット刃１が連動するように構成すると共に、他方のネット刃１１側に対向するスリット外刃２の刃先５の弧面形状を一方のネット刃１１側に対向するスリット外刃２の刃先５の弧面形状よりも大きく形成するのが好ましく、この場合、片側のネット刃１１を独立して大きくフロートさせることが可能となり、しかも、片側のネット刃１１と対向する側のスリット刃１の刃先５を大きな弧面形状としたから、片側のネット刃１１のみが独立してフロートした場合でも、肌当たりを良くし且つ髭の導入性能をより向上させることができる。
【００１６】
また、上記スリット刃１のフロートバネ４９のバネ受け片９０を少なくとも片方のネット刃１１の外刃枠２１に設けるのが好ましく、この場合、スリット刃１のフロートバネ４９が上下にフロート可能となったネット刃１１にて受けられるようになるので、スリット刃１とネット刃１１とが連動している状態でのスリット刃１のフロートが柔らかくなり、また、上記スリット刃１のバネ力はそれを受けているネット刃１１を押し下げる方向に働くため、ネット刃１１のフロートも柔らかくなり、ネット刃１１とスリット刃１の両方のフロートがスムーズ且つ柔らかいものとなる。
【００１７】
また、上記スリット刃１のフロートバネ４９のバネ受け片９０，９３を両側のネット刃１１の外刃枠２１にそれぞれ設けるのが好ましく、この場合、スリット刃１のフロートバネ４９を両方の外刃枠２１のバネ受け片９０，９３でそれぞれ支持できるので、スリット刃１のバネ力の１／２がそれぞれ両方のネット刃１１を押し下げる方向に働くため、両方のネット刃１１のフロートが一層柔らかくなる。
【００１８】
【発明の実施の形態】
以下、本発明の実施形態の一例を説明する。
【００１９】
この往復式電気かみそりは、図２に示すように、本体９の上端に３個の刃ヘッド１０が配設されたもので、これら３個の刃ヘッド１０は、リニアモータ１４によって同時駆動されるものである。
【００２０】
刃ヘッド１０について図１〜図７に基づいて詳述する。刃ヘッド１０は、図１に示すように、スリット外刃２とこのスリット外刃２の内面に摺接して往復移動する櫛刃状のスリット内刃３とを備えた１個の粗剃り用のスリット刃１と、スリット刃１の両外側に配置され、ネット状の外刃１２とこの外刃１２の内面に摺接して往復移動する内刃１３とを備えた２個のネット刃１１とで構成されている。これらスリット刃１及びネット刃１１はそれぞれ上下にフロート可能となっており、また、摺動動作を行うリニアモータ１４によって、各刃の外刃２，１２に対応する内刃３，１３が各々往復駆動されるようになっている。
【００２１】
図４は刃ヘッド１０の構成を示している。ネット刃カセット２０は、外刃枠２１にフォイル状の外刃１２を取付けると共に、外刃枠２１はフロート支持枠２２に下側から取付けられ、係合穴９２と係合片９１との係合により組立てられる。さらにフロート支持枠２２と外刃枠２１との間には、肌を伸ばして髭を起こすための薄肉弾性リブ２３を備えた肌伸ばし部材２４が配置され、この肌伸ばし部材２４はフロート支持枠２２の内面に設けた突起２５に取付けられて組立てられる。フロート支持枠２２の両端の外壁２６と内壁２７とは、図６に示すように、係合片２８によってつながっており、また外壁２６と内壁２７の対向面には突部２９がそれぞれ突設されている。係合片２８の上方には後述する保持部材５０のフック５１が係合する縦長孔３０が設けられている。
【００２２】
図５はスリット刃カセット３１の構成を示している。スリット外刃２の両端に支持体３２がそれぞれ配置され、支持体３２に設けたヒートシールボス３３にスリット外刃２の係合部３４を取付けた状態で、スリット外刃２に対して支持体３２がそれぞれヒートシール固定されている。両支持体３２の内面側にはバネ受け３５をそれぞれ備えており、外面側にはカバー片３６をそれぞれ備えており、カバー片３６の内面にはそれぞれ縦リブ３７が形成されている。さらに支持体３２の下端には下方に突出する係止部３８、バネ止め３９、突起受け面４０がそれぞれ設けられている。スリット内刃３は、その両側部をスリット継手４１の突壁４２に挟まれた状態で、スリット継手４１の溝部中央の取付穴４３とスリット継手４１上面の突起部４４、ヒートシールボス４５とを嵌合させて、ヒートシールボス４５をヒートシールすることにより、スリット内刃３がスリット継手４１にヒートシール固定されている。スリット継手４１の下端にはバネ受け部４６が設けられ、押上げバネ４７の上端をバネ受け部４６に係合させ、押上げバネ４７の下端を前記スリット外刃２の支持体３２のバネ受け３５に係合させることにより、スリット内刃３がスリット外刃２の内面に摺接して、両刃の摺動面において良好な切れ味が確保されるようになっている。
【００２３】
上記ネット刃カセット２０とスリット刃カセット３１とは、図４に示す矩形状の保持部材５０と図６に示す矩形状の外刃フレーム６０とを介して、リニアモータ１４を内蔵する本体９に装着される。
【００２４】
保持部材５０は、図４に示すように、両側片の上縁からそれぞれ複数のフロートバネ片５２を上方に向けて一体に突出させてある。また、保持部材５０の長手方向の両端壁５３の幅方向中央の外面上部には縦溝５４が形成され、外面下部にはフック５５を備えた押釦部５６が設けられている。さらに、両端壁５３の幅方向中央の内面には縦溝５７を備えたフック片５９が設けられていると共に、フック片５９の下方にバネ受け片５８が設けられている。そして、スリット刃カセット３１の支持体３２の係止部３８を保持部材５０のフック５９に係合させることで、スリット刃カセット３１は保持部材５０に対して抜け止めされると共に、支持体３２のバネ止め３９と保持部材５０のバネ受け片５８との間に配置されたフロートバネ４９によって、スリット刃カセット３１は上方にバネ付勢されて上下にフロート可能となっている。このとき、支持体３２の係止部３８が保持部材５０内面の縦溝５７内をスライドし、且つ、支持体３２の外側に位置するカバー片３６の内面に設けられた縦リブ３７が保持部材５０外面の縦溝５４内をスライドすることで、スリット刃カセット３１は保持部材５０に対して上下にそれぞれガイドされる。これにより、保持部材５０の幅方向中央部にスリット刃カセット３１を上下動自在に保持できるようになっている。
【００２５】
さらに、保持部材５０の両端壁５３の幅方向両端側には、図６に示すように、上方に開口したスリット孔４８がそれぞれ形成されており、各スリット孔４８内の両側壁のうちの一方の側壁上部にフック５１が突設されている。そして、ネット刃カセット２０のフロート支持枠２２と外刃枠２１とを一体化したものを、保持部材５０の幅方向両端側にそれぞれ被せる。このとき、フロート支持枠２２に設けた係合片２８を保持部材５０のスリット孔４８内に係合させると、保持部材５０のフック５１が係合片２８の上方の縦長孔３０内に嵌まり込み、フロート支持枠２２の突部２９が保持部材５０のスリット孔４８周辺のガイド片６１の両面に接することによって、保持部材５０のフック５１にてフロート支持枠２２が抜け止めされ、保持部材５０の幅方向両端部において、一対のネット刃カセット２０を上下動自在に保持できるようになっている。このとき、保持部材５０のフロートバネ片５２が外刃枠２１の突出部２１ａの下面に接することから、ネット刃カセット２０は上方にバネ付勢されて、上下にフロート可能となり、さらに、ネット刃カセット２０の上下動は、保持部材５０のスリット孔４８とフロート支持枠２２の係合片２８との摺動、及び、フロート支持枠２２の突部２９と保持部材５０のガイド片６１との摺動によってガイドされるようになる。
【００２６】
ここで、保持部材５０内ではスリット刃１とネット刃１１は各々単独で上下にフロートするが、ネット刃１１がフロートする際に、図４に示す外刃枠２１の側面に設けられた突起６２の下面がスリット刃カセット３１の支持体３２に設けた前記突起受け面４０（図５）に連結されるように組立てることによって、ネット刃１１の上下のフロートに連動してスリット刃１も上下にフロートできるようになっている。
【００２７】
また、保持部材５０は、図６に示す押釦部５６の内側に設けたフック５５を外刃フレーム６０の長手方向両端部の溝６５内に設けられた凸部６６に着脱自在に係止させることで、押釦部５６を外刃フレーム６０の両端外面側に位置させた状態で外刃フレーム６０に装着できるようになっている。
【００２８】
一方、ネット刃カセット２０における内刃１３は、図７に示すように、本体９の上端から突出する一対の駆動子７０の上端に内刃押上げバネ７２により上方へバネ付勢された状態で取付けられる。ネット刃カセット２０を保持部材５０及び外刃フレーム６０を介して本体９に取付けた時、内刃１３は外刃１２の内面に接するものであり、また本体９が内蔵するリニアモータ１４の往復振動が駆動子７０を介して内刃１３に伝えられる。一方、スリット刃カセット３１が内蔵するスリット内刃３は、駆動子７０に付設されたスリット駆動子７１とスリット継手４１（図５）とが連結されることで、スリット内刃３にもリニアモータ１４の動きが伝達されるようになっている。図７中の７３はバネ止めである。
【００２９】
次に、スリット外刃２について詳述する。
【００３０】
図３に示すように、スリット外刃２は１枚の板を曲げて構成されており、多数の桟８０が両側壁４，４間に架設されている。各桟８０は上面中央に２つの９０°曲げにより構成される凹部８１をそれぞれ有している。また各桟８０の上面は、両側のネット刃１１の頂上を結んだラインと略平行な平面部１５となっており、この平面部１５の内側にスリット内刃３（図１）を摺動させてある。また各桟８０の両端部にそれぞれ形成される刃先５は、平面部１５よりも低い位置で両側壁４よりも外側方に向かってそれぞれ略三角形状に突出している。各刃先５は桟８０を約１２０°でＲ曲げして構成されている。このように１２０°曲げされた刃先５の上面には、それぞれ、テーパー面１６が形成されている。このテーパー面１６は平面部１５に連なり、刃先５の突出頂部５ａに近づく程平面部１５よりも低くなる方向に下り傾斜している。このテーパー面１６は突出頂部５ａよりも約０．５ｍｍの内側の位置から刃先５に向かって形成されており、その傾斜角度は、約１２°に設定されている。もちろん１２°に限定されるものではない。このテーパー面１６は、両側の２つのネット刃１１間の肌とスリット外刃の平面部とを安定した状態で接触させる機能と、刃先５と肌との接触を回避し且つ刃先５での髭の導入が確実になされるように肌に的確に密着して、肌当たりを悪くすることなく髭の導入性能を向上させる機能とを兼ね備えている。つまり、刃先５は、髭を導入するためのものであり、髭のカットはスリット内刃３が摺動する平面部１５において行われるものである。
【００３１】
さらに、図３に示す実施形態では、桟８０の幅寸法を刃先５に向かってテーパー状に減少させてある。例えば突出頂部５ａよりも約０．５ｍｍの内側の位置から刃先５に向かって桟幅Ｌをテーパー状に減少させてあり、テーパー面１６の先端における桟幅Ｌ1 を元の桟幅Ｌの約２／３としている。これにより、例えば刃先５での開口率が約１５％上がり、髭がより導入され易くなっている。
【００３２】
また、刃先５は、図９に示すように、外側方Ｃに向かって緩やかに湾曲した凸曲面６で形成されていると共に、この刃先５の突出頂部５ａよりも下面側には、刃先５の突出方向とは略逆方向Ｄに凹んだ髭起こし用の下向き凹部７が形成されている。本実施形態では、下向き凹部７は桟８０の板厚Ｇが小さくなった薄肉部８により形成されている。この薄肉部８の上端は刃先５の突出頂部５ａ近傍に位置し、薄肉部８の下端は突出頂部５ａよりも下に位置しており、さらに薄肉部８はどの位置においても下向きの面となっている。
【００３３】
しかして、２つのネット刃１１の間にスリット刃１を配置し、スリット外刃２の上面を両側のネット刃１１の頂上を結んだラインと略平行な平面部１５としたことにより、スリット外刃２上面と肌との接触状態が安定し、刃先での導入機能が効果的に働くようになる。ここで、刃先５の上面にはテーパー面１６を形成してあるので、図８に示すように、テーパー面１６によって両側の２つのネット刃１１間の肌Ｅとスリット外刃２の平面部１５とが安定した状態で接触するようになり、しかも、テーパー面１６によって刃先５と肌Ｅとの接触を回避でき且つ刃先５での髭の導入が確実になされるように肌が的確に密着することによって、肌当たりを悪くすることなく、髭の導入性能をより向上させることができる。
【００３４】
ちなみに、刃先５の上面にテーパー面１６が設けられていない場合は、図９のイ部に示すように、突起した刃先５が肌を刺激してしまい、肌当たりが悪くなるが、図８に示すように、テーパー面１６を設けることで、刃先５が肌Ｅに当たらなくなり、肌当たりの良さが得られる。
【００３５】
しかも、刃先５は髭を導入するためのものであり、テーパー面１６及び刃先５の内側にはスリット内刃３は摺動しておらず、スリット内刃３は平面部１５の内側のみに摺動しているので、髭のカットは平面部１５において行われる。従って、テーパー面１６が肌に接触しても、スリット内刃３が肌に当たることがないので、肌当たりを良くしながら、同時に剃り性能の向上を図ることができる。
【００３６】
また、図３のように桟８０の刃幅寸法Ｌを刃先５に向かってテーパー状に減少させてあるので、刃先５，５間の開口率を上げることができ、導入性能をより向上させることができる。ところで、刃先５の桟幅を細くすると、桟８０が肌にくい込んで肌当たりが悪くなることが予想されるが、この刃先５の上面にはテーパー面１６が形成されており、刃先５が肌に当たるのを回避できる構造となっているので、細い桟８０が肌にくい込むことがなく、これにより、肌当たりを悪くすることなく、刃先５の高開口化を実現できる。そのうえ、桟８０の上面中央に凹部８１が形成されているので、凹部８１内で寝た髭を起こすことが可能となり、コンパクトな構成で、髭の導入のチャンスを２倍にすることができるものである。
【００３７】
また本実施形態では、刃先５の突出頂部５ａ付近に、どの位置においても下向きの面となった下向き凹部７を形成してあるので、刃先５に当たった髭は下向き凹部７に取り込まれて起こされるようになり、従って、下向き凹部７に取り込んだ髭を確実に整毛、導入することができるようになり、この結果、肌当たりを良くしながら、髭の導入性能を飛躍的に向上させることができ、髭をより効率良く剃り上げることができるものである。
【００３８】
なお、スリット外刃２の中央上面に凹部（図１）を設けず、図１０に示すように、スリット刃の上面全体を平面部１５としてもよいものである。この場合、両端の刃先５において髭の整毛、導入効果を得ることができると同時に、桟８０の構成及びスリット内刃３の構成をそれぞれ簡略化することができる。
【００３９】
次に、スリット刃とネット刃との連動機構について説明する。
【００４０】
図１１〜図１３は、ネット刃１の外刃枠２１に設けられた突起６２の下面をスリット刃カセット３１の支持体３２に設けられた突起受け面４０に連結させて、連動機構を構成し、ネット刃１１の上下のフロートに連動してスリット刃１も上下にフロートできるようにした場合を示している。図１２に示す実施形態では、突起受け面４０はスリット刃カセット３１の各支持体３２の両側面にそれぞれ設けられており、スリット刃１が単独でフロートするような状況ではスリット刃１は単独でフロートし、両側の２つのネット刃１１の両方又は一方がフロートする際には突起６２と突起受け面４０との接触によってスリット刃１も連動してフロートできるようにしてある。
【００４１】
ところで、ネット刃１１とスリット刃１とが全て独立してフロートするようにした場合にあっては、図１３の矢印Ｔ方向にネット刃１１が押されると、ネット刃１１頂上とスリット刃１上面の相対距離が大きくなり、スリット刃１の刃先５が露出して肌を刺激したり、ネット刃１１とスリット刃１の刃先５の間に肌を挟んでしまうといった危険がある。そこで、本実施形態では、図１４に示すように、ネット刃１１がスリット刃１上面のテーパー延長線近傍に位置するまでは、ネット刃１１は独立してフロートできるようにし、それよりも下面ではネット刃１１の上下のフロートに連動してスリット刃１もフロートするように、突起６２と突起受け面４０との位置関係が設定されている。これにより、ネット刃１１の独立フロート量（図１３の状態から図１４の状態になるまでの距離）を大きくとることができるので、スリット刃１の刃先５が、肌当たりに影響なく効果的に働き、より導入性能を確保できるようになり、特に、のどからあご下、あご下からあご等の凹凸部での肌の追随性が良くなる。また、図１４の状態からはネット刃１１の上下のフロートに連動してスリット刃１も上下にフロートできるようにしたから、肌の凹凸部をネット刃１１が通過する際には、ネット刃１１のフロートでスリット刃１の刃先５が露出する前に、スリット刃１もネット刃１１に連動してフロートし、また、２つのネット刃１１の間にあご等の凸部が接触するような状況では、スリット刃１は単独でフロートすることとなり、スリット刃１の刃先５で肌を刺激することがなく、肌への追随性を向上させることができるものである。
【００４２】
また図１１、図１２に示すように、ネット刃１１の外刃枠２１の突起６２と、スリット刃１の支持体３２の突起受け面４０とを、それぞれ、長手方向（刃の摺動方向）の両端の２箇所に設けたことにより、ネット刃１１とスリット刃１の連結が長手方向の両端の２点で行われることとなり、従って、長手方向のどの位置においてもネット刃１１とスリット刃１との相対段差が一定になり、スリット刃１の刃先５が露出することがなく、より肌への追随性を向上させることができるという利点がある。
【００４３】
さらに、図１３に示すように、ネット刃１１の外刃枠２１の突起６２と、スリット刃カセット３１の支持体３２の突起受け面４０との連結を、スリット外刃２の側壁４よりも内側Ｆの位置で行うようにしている。これにより、図５に示すスリット刃カセット３１の支持体３２に設けた係止部３８の位置と、上記突起６２と突起受け面４０との連結位置とが、スリット刃ブロックの厚み方向Ｘにおいてほぼ同じとなるため、ねじれモーメントが発生せず、従って、図５に示すスリット刃カセット３１の支持体３２の縦リブ３７と図６に示す保持部材５０の縦溝５４との間での摩擦や引っ掛かりを低減させることができ、連動の際によりスムーズにスリット刃１をフロートさせることができるものである。
【００４４】
図１５は、一方のネット刃１１の外刃枠２１のみに突起６２を設け、他方のネット刃１１の外刃枠２１には突起６２を設けないようにして、一方のネット刃１１のみにスリット刃１が連動するように構成し、さらに突起６２が設けられないネット刃１１側に対向するスリット刃１の刃先５の円弧面の弧面形状Ｒを突起６２が設けられたネット刃１１側に対向するスリット刃１の刃先５の円弧面の弧面形状Ｒ1 （＞Ｒ）よりも大きく形成した場合を示している。この場合、片側のネット刃１１をネット刃１１とは独立して大きくフロートさせることが可能となり、しかも、このネット刃１１と対向する側のスリット刃１の刃先５を大きな弧面形状としたから、片側のネット刃１１が単独で大きく押し下げられた場合に、スリット刃１の刃先５が肌に当たっても、肌当たりの良さを確保できると共に、髭の導入性能をより向上させることができる。
【００４５】
また、図１６に示す実施形態では、スリット刃１のフロートバネ４９を保持部材５０の両端壁の内面に設けたバネ受け片５８で受けているが、他の実施形態として、保持部材５０のバネ受け片５８を省略して、図１７、図１８に示すように、片側のネット刃１１の外刃枠２１にバネ受け片９０を設け、フロートバネ４９をネット刃１１側で受けるようにしてもよい。この場合、スリット刃１のフロートバネ４９が上下にフロート可能となったネット刃１１にて受けられるようになるので、固定されている保持部材５０で受ける図１６の場合と比較して、スリット刃１とネット刃１１とが連動している状態でのスリット刃１のフロートが柔らかくなり、また、スリット刃１のバネ力はそれを受けているネット刃１１を押し下げる方向に働くため、ネット刃１１のフロートも柔らかくなり、刃ヘッド１０のフロート性を柔らかく且つスムーズなものにすることができる。
【００４６】
図１９及び図２０は、スリット刃１のフロートバネ４９のバネ受け片９０，９３を両側のネット刃１１の外刃枠２１にそれぞれ設けた場合を示している。この実施形態では、一方のネット刃１１の外刃枠２１の両端２箇所にバネ受け片９０を設け、他方のネット刃１１の外刃枠２１の両端２箇所にもバネ受け片９３（図２０）を設け、これらバネ受け片９０，９３を外刃枠２１の長手方向（図の左右方向）にずらして配設している。これにより、図２０に示すように、内側に位置するフロートバネ４９を一方の外刃枠２１のバネ受け片９０で支持でき、外側に位置するフロートバネ４９を他方の外刃枠２１のバネ受け片９３で支持できるようになる。この結果、図１７及び図１７の実施形態の作用効果がスリット刃１と両方のネット刃１１との間で得られるうえに、スリット刃１のバネ力の１／２がそれぞれ両方のネット刃１１を押し下げる方向に働くため、両方のネット刃１１のフロートがそれぞれ柔らかくなり、髭を剃る際に、短手方向（ネット刃１１とスリット刃１の配列方向）のどちらから剃っても、刃ヘッド１０のフロート性を柔らかく且つスムーズなものにすることができる。
【００４７】
【発明の効果】
以上説明したように、本発明のうち請求項１記載の発明は、スリット外刃とこのスリット外刃の内面に摺接して往復移動するスリット内刃とを備えたスリット刃と、スリット刃の両外側に配置され、ネット状の外刃とこの外刃の内面に摺接して往復移動する内刃とを備えたネット刃とを備え、スリット刃及びネット刃をそれぞれ上下にフロート可能とした往復式電気かみそりにおいて、スリット外刃の上面を両側のネット刃の頂上を結んだラインと略平行な平面部とし、平面部の内側でスリット内刃を摺動させると共に、スリット外刃の刃先をスリット外刃の側壁よりも外側方に突出させ、刃先の上面に平面部と連なり刃先に近づく程平面部よりも低くなる方向に傾斜したテーパー面を形成したから、スリット外刃の上面の平面部と肌との接触状態が安定し、刃先での導入機能が効果的に働くようになる。しかも、テーパー面によって両側の２つのネット刃間の肌とスリット外刃の平面部とが安定した状態で接触するようになり、また、テーパー面によって刃先と肌との接触を回避でき且つ刃先での髭の導入が確実になされるように肌が的確に密着することによって、肌当たりを悪くすることなく、髭の導入性能をより向上させることができる。さらに、スリット内刃は平面部の内側のみに摺動しているので、テーパー面が肌に接触しても、スリット内刃が肌に当たることがないので、肌当たりを良くしながら、同時に剃り性能の向上を図ることができるものである。
【００４８】
また請求項１記載の発明は、ネット刃が上下にフロートする際に、ネット刃のフロートに連動してスリット刃をフロートさせる連動機構を備えているから、ネット刃とスリット刃との連動によって、ネット刃頂上とスリット刃上面の相対距離が大きくなるのを防止でき、スリット刃の刃先が露出して肌を刺激したり、ネット刃とスリット刃の刃先の間に肌を挟んでしまうといった危険をなくすことができる。従って、あご等の凹凸部を剃る際に刃先で肌を刺激することがなく、肌への追随性が良くなり、より肌への刺激を抑えて導入性能を確保できる。
【００４９】
さらに請求項１記載の発明は、ネット刃がスリット刃上面のテーパー延長線近傍に位置するまでは、ネット刃は独立して上下にフロート可能となっているから、ネット刃の独立フロート量を大きく確保でき、スリット刃の刃先が、肌当たりに影響なく効果的に働き、より導入性能を確保できるようになる。
【００５０】
また請求項２記載の発明は、請求項１記載の効果に加えて、スリット外刃の刃幅寸法を刃先に向かう程減少させたから、幅が細くなった刃先が肌にくい込むのを上面のテーパー面によって回避でき、肌当たりを悪くすることなく、刃先の高開口化を実現でき、より導入性能を向上させることができる。
【００５１】
また請求項３記載の発明は、請求項１記載の効果に加えて、スリット外刃の上面中央に平面部よりも下方に凹んだ凹部を設けたから、凹部内で寝た髭を起こすことが可能となり、コンパクトな構成で、髭の導入のチャンスを２倍にすることができる。
【００５２】
また請求項４記載の発明は、請求項１記載の効果に加えて、スリット刃とネット刃の連結を、スリット外刃の側壁よりも内側の位置で行うものであるから、例えばスリット刃の係止部の位置に対してネット刃とスリット刃との連結位置をスリット刃の厚み方向でほぼ同じにすることが可能となるため、ねじれモーメントが発生せず、連動の際によりスムーズにスリット刃をフロートさせることが可能となる。
【００５３】
また請求項５記載の発明は、請求項１記載の効果に加えて、ネット刃の外刃枠の突起と、スリット刃の支持体の突起受け面とを、スリット内刃の摺動方向の両端の２箇所に設けたから、スリット刃とネット刃の連結を、スリット内刃の摺動方向の両端の２点で行うことができるから、摺動方向のどの位置においてもネット刃とスリット刃との相対段差が一定になり、スリット刃の刃先が露出することがなく、より肌への追随性を向上させることができる。
【００５４】
また請求項６記載の発明は、請求項１記載の効果に加えて、一方のネット刃のみにスリット刃が連動するように構成すると共に、他方のネット刃側に対向するスリット外刃の刃先の弧面形状を一方のネット刃側に対向するスリット外刃の刃先の弧面形状よりも大きく形成したから、片側のネット刃を独立して大きくフロートさせることが可能となり、しかも、片側のネット刃と対向する側のスリット刃の刃先を大きな弧面形状としたから、片側のネット刃のみが独立してフロートした場合でも、肌当たりの良さを得ることができると共に、導入性能をより向上させることができるようになる。
【００５５】
また請求項７記載の発明は、請求項１記載の効果に加えて、スリット刃のフロートバネのバネ受け片を少なくとも片方のネット刃の外刃枠に設けたから、スリット刃のフロートバネが上下にフロート可能となったネット刃にて受けられるようになるので、スリット刃とネット刃とが連動している状態でのスリット刃のフロートが柔らかくなり、また、スリット刃のバネ力はそれを受けているネット刃を押し下げる方向に働くため、ネット刃のフロートも柔らかくなり、ネット刃とスリット刃の両方のフロートがスムーズ且つ柔らかいものとなり、肌当たりが一段と向上する。
【００５６】
また請求項８記載の発明は、請求項１記載の効果に加えて、スリット刃のフロートバネのバネ受け片を両側のネット刃の外刃枠にそれぞれ設けたから、スリット刃のフロートバネを両方の外刃枠のバネ受け片でそれぞれ支持できるので、スリット刃のバネ力の１／２がそれぞれ両方のネット刃を押し下げる方向に働くため、両方のネット刃のフロートが一層柔らかくなり、髭を剃る際に、短手方向（ネット刃とスリット刃の配列方向）のどちらから剃っても、刃ヘッドのフロート性を柔らかく且つスムーズなものにすることができる。
【図面の簡単な説明】
【図１】  本発明の実施形態の一例を示す断面図である。
【図２】  同上の往復式電気かみそりの刃ヘッド側の断面図である。
【図３】  同上のスリット外刃を説明する斜視図である。
【図４】  同上の刃ヘッドの分解斜視図である。
【図５】  同上のスリット刃カセットの分解斜視図である。
【図６】  同上のスリット刃カセットと保持部材と本体フレームとを説明する分解斜視図である。
【図７】  同上の本体への刃ヘッドの取付け状態を説明する分解斜視図である。
【図８】  同上のスリット外刃の刃先上面にテーパー面を設けた場合のスリット刃と肌との接触状態を示す断面図である。
【図９】  同上のテーパー面を設けない場合のスリット刃と肌との接触状態を示す断面図である。
【図１０】  同上のスリット外刃の中央上面を平面にした場合の断面図である。
【図１１】  本発明の連動機構を説明するネット刃カセットの正面図である。
【図１２】  同上のスリット刃カセットと保持部材とを組立てた状態の正面図である。
【図１３】  同上のスリット刃とネット刃との連動状態を説明する断面図である。
【図１４】  同上の片側のネット刃のフロート状態を説明する断面図である。
【図１５】  他の実施形態を説明する断面図である。
【図１６】  更に他の実施形態を説明する一部破断正面図である。
【図１７】  更に他の実施形態を説明する分解斜視図である。
【図１８】  同上の一部破断正面図である。
【図１９】  更に他の実施形態を説明する分解斜視図である。
【図２０】  同上の一部破断正面図である。
【符号の説明】
１  スリット刃
２  スリット外刃
３  スリット内刃
４  側壁
５  刃先
１１  ネット刃
１２  外刃
１３  内刃
１５  平面部
１６  テーパー面
２１  外刃枠
４９  フロートバネ
８１  凹部
９０，９３  バネ受け片
Ｃ  外側方
【図１】
0003747620.tif 000002
【図２】
0003747620.tif 000003
【図３】
0003747620.tif 000004
【図４】
0003747620.tif 000005
【図５】
0003747620.tif 000006
【図６】
0003747620.tif 000007
【図７】
0003747620.tif 000008
【図８】
0003747620.tif 000009
【図９】
0003747620.tif 000010
【図１０】
0003747620.tif 000011
【図１１】
0003747620.tif 000012
【図１２】
0003747620.tif 000013
【図１３】
0003747620.tif 000014
【図１４】
0003747620.tif 000015
【図１５】
0003747620.tif 000016
【図１６】
0003747620.tif 000017
【図１７】
0003747620.tif 000018
【図１８】
0003747620.tif 000019
【図１９】
0003747620.tif 000020
【図２０】
0003747620.tif 000021